【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
コンピューティングデバイス上の複数の入力タイプの入力を認識するためのシステムであって、各コンピューティングデバイスは、プロセッサーと、前記プロセッサーの制御の下に入力を認識するための少なくとも１つの非一時的なコンピューター読み取り可能媒体とを備え、前記プロセッサーは、
コンピューティングデバイスのインターフェイス表面における単一の入力パネルにおいて、入力の複数の異なるタイプのうちの２つ以上のタイプの入力を受け入れ、
入力の前記複数の異なるタイプのうちの前記２つ以上の入力タイプに関わらず、複数の認識されたオブジェクトとして前記入力の認識を引き起こし、各認識されたオブジェクトは、認識の対応する確率に関連付けられ、認識の前記対応する確率は、入力タイプの可能な変化が前記インターフェイス表面の前記単一の部分に検出されると、入力の前記複数の異なるタイプのうちの前記２つ以上のタイプに関連付けられた認識候補に基づき、
前記確率に基づいて、前記認識された入力として前記認識されたオブジェクトのうちの少なくとも１つを返すように構成されたことを特徴とするシステム。
【請求項２】
前記少なくとも１つの非一時的なコンピューター読み取り可能媒体は、
前記インターフェイス表面の前記単一の部分上の表示に、キーボードとして文字キーのレイアウトをもたらすように構成されたことを特徴とする請求項１に記載のシステム。
【請求項３】
入力の前記異なるタイプは、前記インターフェイス表面に関して単一位置相互作用および多位置相互作用を含むことを特徴とする請求項２に記載のシステム。
【請求項４】
前記単一位置相互作用は、前記キーの位置に対応し、前記多位置相互作用は、複数の前記キーの位置を通るストロークに対応することを特徴とする請求項３に記載のシステム。
【請求項５】
前記複数の認識されたオブジェクトのうちの第１の認識されたオブジェクトは、前記キーのうちの１つまたは複数に関する１つまたは複数の単一位置相互作用として前記入力の認識に対応し、前記複数の認識されたオブジェクトのうちの第２の認識されたオブジェクトは、前記キーを無視する１つまたは複数の単一位置相互作用として前記入力の認識に対応することを特徴とする請求項４に記載のシステム。
【請求項６】
前記複数の認識されたオブジェクトのうちの第３の認識されたオブジェクトは、前記キーのうちの１つまたは複数に関する１つまたは複数の多位置相互作用として前記入力の認識に対応し、前記複数の認識されたオブジェクトのうちの第４の認識されたオブジェクトは、前記キーを無視する１つまたは複数の多位置相互作用として前記入力の認識に対応することを特徴とする請求項５に記載のシステム。
【請求項７】
コンピューティングデバイス上の複数の入力タイプの入力を認識するための方法であって、各コンピューティングデバイスは、プロセッサーと、前記プロセッサーの制御の下に入力を認識するための少なくとも１つの非一時的なコンピューター読み取り可能媒体とを備え、前記方法は、
コンピューティングデバイスのインターフェイス表面における単一の入力パネルにおいて、入力の複数の異なるタイプのうちの２つ以上のタイプを受け入れるステップと、
入力の前記複数の異なるタイプのうちの前記２つ以上のタイプに関わらず、複数の認識されたオブジェクトとして前記入力の認識を引き起こすステップであって、各認識されたオブジェクトは、認識の対応する確率に関連付けられ、認識の前記対応する確率は、入力タイプの可能な変化が前記インターフェイス表面の前記単一の部分に検出されると、入力の前記複数の異なるタイプのうちの前記２つ以上のタイプに関連付けられた認識候補に基づく、ステップと、
前記確率に基づいて、前記認識された入力として前記認識されたオブジェクトのうちの少なくとも１つを返すステップと
を備えることを特徴とする方法。
【請求項８】
前記インターフェイス表面の前記単一の部分上の表示に、キーボードとして文字キーのレイアウトをもたらすステップを備えることを特徴とする請求項７に記載の方法。
【請求項９】
入力の前記異なるタイプは、前記インターフェイス表面に関して単一位置相互作用および多位置相互作用を含むことを特徴とする請求項８に記載の方法。
【請求項１０】
前記単一位置相互作用は、前記キーの位置に対応し、前記多位置相互作用は、複数の前記キーの位置を通るストロークに対応することを特徴とする請求項９に記載の方法。
【請求項１１】
前記複数の認識されたオブジェクトのうちの第１の認識されたオブジェクトは、前記キーのうちの１つまたは複数に関する１つまたは複数の単一位置相互作用として前記入力の認識に対応し、前記複数の認識されたオブジェクトのうちの第２の認識されたオブジェクトは、前記キーを無視する１つまたは複数の単一位置相互作用として前記入力の認識に対応することを特徴とする請求項１０に記載の方法。
【請求項１２】
前記複数の認識されたオブジェクトのうちの第３の認識されたオブジェクトは、前記キーのうちの１つまたは複数に関する１つまたは複数の多位置相互作用として前記入力の認識に対応し、前記複数の認識されたオブジェクトのうちの第４の認識されたオブジェクトは、前記キーを無視する１つまたは複数の多位置相互作用として前記入力の認識に対応することを特徴とする請求項１１に記載の方法。
【請求項１３】
コンピューター読み取り可能なプログラムコードが埋め込まれた非一時的なコンピューター読み取り可能媒体であって、前記コンピューター読み取り可能なプログラムコードは、コンピューティングデバイスにおける複数の入力タイプの入力を認識するための方法を実装するために実行されるように適合され、前記コンピューティングデバイスは、プロセッサーと、前記プロセッサーの制御の下に前記入力を認識させるための少なくとも１つのシステムの非一時的なコンピューター読み取り可能媒体とを備え、前記方法は、
コンピューティングデバイスのインターフェイス表面における単一の入力パネルにおいて、入力の複数の異なるタイプのうちの２つ以上のタイプを受け入れるステップと、
入力の前記複数の異なるタイプのうちの前記２つ以上の入力タイプに関わらず、複数の認識されたオブジェクトとして前記入力の認識を引き起こすステップであって、各認識されたオブジェクトは、認識の対応する確率に関連付けられ、認識の前記対応する確率は、入力タイプの可能な変化が前記インターフェイス表面の前記単一の部分に検出されると、入力の前記複数の異なるタイプのうちの前記２つ以上のタイプに関連付けられた認識候補に基づく、ステップと、
前記確率に基づいて、前記認識された入力として前記認識されたオブジェクトのうちの少なくとも１つを返すステップと
を備えることを特徴とする非一時的なコンピューター読み取り可能媒体。
【請求項１４】
前記インターフェイス表面の前記単一の部分への表示に、キーボードとして文字キーのレイアウトをもたらすことを含むことを特徴とする請求項１３に記載の非一時的なコンピューター読み取り可能媒体。
【請求項１５】
入力の前記異なるタイプは、前記インターフェイス表面に関して単一位置相互作用および多位置相互作用を含むことを特徴とする請求項１４に記載の非一時的なコンピューター読み取り可能媒体。
【請求項１６】
前記単一位置相互作用は、前記キーの位置に対応し、前記多位置相互作用は、複数の前記キーの位置を通るストロークに対応することを特徴とする請求項１５に記載の非一時的なコンピューター読み取り可能媒体。
【請求項１７】
前記複数の認識されたオブジェクトのうちの第１の認識されたオブジェクトは、前記キーのうちの１つまたは複数に関する１つまたは複数の単一位置相互作用として前記入力の認識に対応し、前記複数の認識されたオブジェクトのうちの第２の認識されたオブジェクトは、前記キーを無視する１つまたは複数の単一位置相互作用として前記入力の認識に対応することを特徴とする請求項１６に記載の非一時的なコンピューター読み取り可能媒体。
【請求項１８】
前記複数の認識されたオブジェクトのうちの第３の認識されたオブジェクトは、前記キーのうちの１つまたは複数に関する１つまたは複数の多位置相互作用として前記入力の認識に対応し、前記複数の認識されたオブジェクトのうちの第４の認識されたオブジェクトは、前記キーを無視する１つまたは複数の多位置相互作用として前記入力の認識に対応することを特徴とする請求項１７に記載の非一時的なコンピューター読み取り可能媒体。